(57)【要約】【課題】表示記録層の有無、記録の可否、記録条件などを自動的に検出でき、使い勝手のよい光情報記録媒体及びその表示記録方法を提供する。【解決手段】透明基板上に光情報記憶層を有する光情報記録媒体本体（光ディスク）１１と、前記光情報記憶層に記憶された情報の少なくとも一部を視覚的に認識し得るよう記録することが可能な表示記録層１２ａとを備える光情報記録媒体１０において、表示記録層１２ａの有無情報、その種類情報、該表示記録層への記録可否情報の少なくともいずれか１つの情報を有する判別タグ１３を備えることを特徴とする。【選択図】図１
2006004538.tif 000002
【特許請求の範囲】
【請求項１】
透明基板上に光情報記憶層を有する光情報記録媒体本体と、前記光情報記憶層に記憶された情報の少なくとも一部を視覚的に認識し得るよう記録することが可能な表示記録層とを備える光情報記録媒体において、
前記表示記録層の有無情報、その種類情報、該表示記録層への記録可否情報の少なくともいずれか１つの情報を有する判別タグを備えることを特徴とする光情報記録媒体。
【請求項２】
前記判別タグは、ＩＣチップとアンテナからなるＲＦＩＤタグ、バーコード層、磁気印刷層、反射率マーカー層の少なくともいずれか１つからなることを特徴とする請求項１に記載の光情報記録媒体。
【請求項３】
透明基板上に光情報記憶層を有する光情報記録媒体本体と、前記光情報記憶層に記憶された情報の少なくとも一部を視覚的に認識し得るよう記録することが可能な表示記録層とを備える光情報記録媒体において、
前記表示記録層の有無情報および／またはその種類情報についての情報を前記光情報記憶層のメディアＩＤ領域に有することを特徴とする光情報記録媒体。
【請求項４】
前記表示記録層は、インク受容層またはエネルギーを吸収することにより透明度または色調が変化する記録材料を含むものであることを特徴とする請求項１〜３のいずれか一に記載の光情報記録媒体。
【請求項５】
光情報記録媒体の表示記録層に関する情報を検出手段により検出する検出工程と、
前記検出情報に基づいて前記表示記録層への記録の可否を判定する判定工程と、
前記判定が記録可である場合に、前記光情報記憶層に記憶された情報の少なくとも一部を視覚的に認識し得るように記録手段により表示記録層に記録する記録工程とを有することを特徴とする光情報記録媒体の表示記録方法。
【請求項６】
前記光情報記録媒体は、請求項１または２に記載の光情報記録媒体であり、該光情報記録媒体の判別タグから前記表示記録層の有無情報、その種類情報、該表示記録層への記録可否情報の少なくともいずれか１つの情報を前記検出手段により検出することを特徴とする請求項５に記載の光情報記録媒体の表示記録方法。
【請求項７】
前記光情報記録媒体は、請求項３に記載の光情報記録媒体であり、該光情報記録媒体の光情報記憶層のメディアＩＤ領域から前記表示記録層の有無情報および／またはその種類情報についての情報を前記検出手段により検出することを特徴とする請求項５に記載の光情報記録媒体の表示記録方法。
【請求項８】
前記検出手段は、ＲＦＩＤタグリーダ、バーコードリーダ、磁気センサ、ＬＥＤセンサ、光ピックアップからなる光情報再生手段の少なくともいずれか１つであることを特徴とする請求項５に記載の光情報記録媒体の表示記録方法。
【請求項９】
前記記録手段は、インクジェット印刷手段またはエネルギー印加手段であることを特徴とする請求項５に記載の光情報記録媒体の表示記録方法。
【請求項１０】
前記表示記録層は、インク受容層またはエネルギーを吸収することにより透明度または色調が変化する記録材料を含むものであることを特徴とする請求項５に記載の光情報記録媒体の表示記録方法。
【請求項１１】
前記判定が記録不可である場合に、該表示記録層への記録を行わないことを特徴とする請求項５に記載の光情報記録媒体の表示記録方法。
【請求項１２】
前記判定工程にて表示記録層がクリーニング層と判定された場合に、前記光情報記録媒体を用いて前記記録手段のクリーニングを行う工程を有することを特徴とする請求項５に記載の光情報記録媒体の表示記録方法。
【発明の詳細な説明】
【技術分野】
【０００１】
本発明は、光情報記憶層に記憶された情報の少なくとも一部を表示する記録表示層を備えた光情報記録媒体及び光情報記録媒体の表示記録方法に関するものである。
【背景技術】
【０００２】
ＤＶＤ（Ｄｉｇｉｔａｌ  Ｖｅｒｓａｔｉｌｅ  Ｄｉｓｃ）の規格のうち、ＤＶＤ＋ＲやＤＶＤ−Ｒ、あるいはＣＤ（Ｃｏｍｐａｃｔ  Ｄｉｓｃ）の規格のうち、ＣＤ−Ｒのようなライトワンス型の光情報記録媒体を用いて電子情報等の記憶を行った際には、記憶された内容については光情報記録媒体を再生しない限りは認識できない。そのため、インデックス表示やその他のデザインとして保護層上に油性のフェルトペン等を用いて書き込む方法や、薄いラベル等を貼って表示を施す方法、媒体表面にインク受容層を設けインクジェット記録方法で表示記録する方法（例えば、特許文献１）や、媒体表面に染料受容層を設け昇華型熱転写記録方法で表示記録する方法（例えば、特許文献２）が提案されている。
【０００３】
さらには、ＤＶＤ+ＲＷ、ＤＶＤ-ＲＷ、ＤＶＤ-ＲＡＭやＣＤ-ＲＷのようなリライタブル型の光情報記録媒体になるとフェルトペンやインクジェット、熱転写記録法でインデックスなどを表示記録すると記憶内容を変更した場合に表示を変更することができず、記憶内容と表示が異なってしまい表示を見ただけでは記憶された内容がわかりづらいという不具合がある。また、表示を変更するためにＣＤ−Ｒに使用するような薄いラベルを用い記憶内容の変更に応じてラベルを貼り替えたりすると媒体に傷が付いたりする不具合がある。それを解決するために媒体表面に表示記録層を設けサーマルヘッドで表示記録をする方法が提案されている（例えば、特許文献３）。
【０００４】
表示記録層への記録方法や表示記録層の種類には種々のものが存在しており、例えば表示記録層の記録方法には、インクジェットやサーマルヘッド等による記録方法があり、表示記録層の種類には、インクジェットインク受容層やサーマルヘッドで記録を行う非可逆性表示記録層や可逆性表示記録層などがある。
【０００５】
【特許文献１】特開平５−２３８００５号公報
【特許文献２】特開平８−４８０８０号公報
【特許文献３】特開２０００−１０５９４７号公報
【発明の開示】
【発明が解決しようとする課題】
【０００６】
しかしながら、これらの表示記録層の有無や適した記録方法などは、この光情報記録媒体の使用者がその都度確認し表示記録層への記録可否について判断しており、使い勝手が非常に悪かった。これは媒体側が判別手段を持っていないこと及び印字装置側に表示記録層を検出する手段を持っていないことが大きな理由であり、特に光情報記録媒体の記録と表示記録層の記録をインラインで行おうとした場合、つまり光情報記録装置にインクジェットやサーマルヘッドなどの表示記録装置が内蔵されているものや光情報記録装置に内蔵はされていないが、何らかの方法で光情報記録媒体に記録された内容を読み出し、その内容を表示記録装置で記録するものの場合には、特に使い勝手が悪かった。
【０００７】
本発明は、以上の従来技術における問題に鑑みてなされたものであり、表示記録層の有無、記録の可否、記録条件などを自動的に検出でき、使い勝手のよい光情報記録媒体及びその表示記録方法を提供することを目的とする。
【課題を解決するための手段】
【０００８】
前記課題を解決するために提供する請求項１の発明は、透明基板上に光情報記憶層を有する光情報記録媒体本体と、前記光情報記憶層に記憶された情報の少なくとも一部を視覚的に認識し得るよう記録することが可能な表示記録層とを備える光情報記録媒体において、前記表示記録層の有無情報、その種類情報、該表示記録層への記録可否情報の少なくともいずれか１つの情報を有する判別タグを備えることを特徴とする光情報記録媒体である。
【０００９】
前記課題を解決するために提供する請求項２の発明は、請求項１に記載の発明において、前記判別タグは、ＩＣチップとアンテナからなるＲＦＩＤタグ、バーコード層、磁気印刷層、反射率マーカー層の少なくともいずれか１つからなることを特徴とする光情報記録媒体である。
【００１０】
前記課題を解決するために提供する請求項３の発明は、透明基板上に光情報記憶層を有する光情報記録媒体本体と、前記光情報記憶層に記憶された情報の少なくとも一部を視覚的に認識し得るよう記録することが可能な表示記録層とを備える光情報記録媒体において、前記表示記録層の有無情報および／またはその種類情報についての情報を前記光情報記憶層のメディアＩＤ領域に有することを特徴とする光情報記録媒体である。
【００１１】
前記課題を解決するために提供する請求項４の発明は、請求項１〜３に記載の発明において、前記表示記録層は、インク受容層またはエネルギーを吸収することにより透明度または色調が変化する記録材料を含むものであることを特徴とする光情報記録媒体である。
【００１２】
前記課題を解決するために提供する請求項５の発明は、光情報記録媒体の表示記録層に関する情報を検出手段により検出する検出工程と、前記検出情報に基づいて前記表示記録層への記録の可否を判定する判定工程と、前記判定が記録可である場合に、前記光情報記憶層に記憶された情報の少なくとも一部を視覚的に認識し得るように記録手段により表示記録層に記録する記録工程とを有することを特徴とする光情報記録媒体の表示記録方法である。
【００１３】
前記課題を解決するために提供する請求項６の発明は、請求項５に記載の発明において、前記光情報記録媒体は、請求項１または２に記載の光情報記録媒体であり、該光情報記録媒体の判別タグから前記表示記録層の有無情報、その種類情報、該表示記録層への記録可否情報の少なくともいずれか１つの情報を前記検出手段により検出することを特徴とする光情報記録媒体の表示記録方法である。
【００１４】
前記課題を解決するために提供する請求項７の発明は、請求項５に記載の発明において、前記光情報記録媒体は、請求項３に記載の光情報記録媒体であり、該光情報記録媒体の光情報記憶層のメディアＩＤ領域から前記表示記録層の有無情報および／またはその種類情報についての情報を前記検出手段により検出することを特徴とする光情報記録媒体の表示記録方法。
【００１５】
前記課題を解決するために提供する請求項８の発明は、請求項５に記載の発明において、前記検出手段は、ＲＦＩＤタグリーダ、バーコードリーダ、磁気センサ、ＬＥＤセンサ、光ピックアップからなる光情報再生手段の少なくともいずれか１つであることを特徴とする光情報記録媒体の表示記録方法である。
【００１６】
前記課題を解決するために提供する請求項９の発明は、請求項５に記載の発明において、前記記録手段は、インクジェット印刷手段またはエネルギー印加手段であることを特徴とする光情報記録媒体の表示記録方法である。
【００１７】
前記課題を解決するために提供する請求項１０の発明は、請求項５に記載の発明において、前記表示記録層は、インク受容層またはエネルギーを吸収することにより透明度または色調が変化する記録材料を含むものであることを特徴とする光情報記録媒体の表示記録方法である。
【００１８】
前記課題を解決するために提供する請求項１１の発明は、請求項５に記載の発明において、前記判定が記録不可である場合に、該表示記録層への記録を行わないことを特徴とする光情報記録媒体の表示記録方法。
【００１９】
前記課題を解決するために提供する請求項１２の発明は、請求項５に記載の発明において、前記判定工程にて表示記録層がクリーニング層と判定された場合に、前記光情報記録媒体を用いて前記記録手段のクリーニングを行う工程を有することを特徴とする請求項５に記載の光情報記録媒体の表示記録方法である。
【発明の効果】
【００２０】
本発明の光情報記録媒によれば、判別タグあるいはメディアＩＤ領域に含まれる情報を検出することにより、表示記録層に関する情報が検出できるようになるため、その表示記録層に対して適切な処理を行うことができるようになる。
本発明の光情報記録媒体の表示記録方法によれば、用いられる光情報記録媒体の表示記録層に関する情報が自動的に検出され、その表示記録層に対して適切な処理を行うことができるようになるため、表示記録層への記録に関し使い勝手がよくなる。
【発明を実施するための最良の形態】
【００２１】
以下に、本発明に係る光情報記録媒体について説明する。
図１は、本発明に係る光情報記録媒体の実施の形態における構成を示す断面図である。
光情報記録媒体１０は、光情報記憶層を有する光情報記録媒体本体である光ディスク１１と、表示記録層１２ａと接着層１２ｃとを有する表示記録層ラベル１２とが積層されており、さらに表示記録層ラベル１２上に表示記録層１２ａに関する情報を有する判別タグ１３が形成された構成である（図１（ａ））。また、表示記録層ラベル１２は、ポリエチレンテレフタレート（ＰＥＴ）やポリカーボネート（ＰＣ）などからなるベースフィルム１２ｂのおもて面に光情報記憶層に記憶された情報の少なくとも一部を視覚的に認識し得るよう記録することが可能な表示記録層１２ａが形成され、該フィルム１２ｂの裏面に緩衝材もしくは弾性材を含む接着層１２ｃが形成されたものである。
【００２２】
また、光ディスク１１の記録再生面とは反対面と表示記録層ラベル１２の接着層１２ｃの面とが向き合って貼り合わされて光情報記録媒体１０となっている（図１（ｂ））。
【００２３】
光ディスク１１は、有機色素材料を用いた光情報記録媒体（ＣＤ-Ｒ、ＤＶＤ+Ｒ、ＤＶＤ-Ｒメディア）や相変化型材料を用いた光情報記録媒体（ＤＶＤ+ＲＷ、ＤＶＤ-ＲＷ、ＤＶＤ-ＲＡＭメディア）を用いることができる。
【００２４】
光情報記録媒体それぞれの基本的な構成は例えばつぎのようになる。
有機色素材料を用いた光情報記録媒体のうち、ＣＤ-Ｒの基本的な構成は、光案内溝を有する１．２ｍｍ厚の基板、色素記録層、反射層、保護層（有機保護層）が順次形成された構成となる。
また、ＤＶＤ+Ｒ、ＤＶＤ-Ｒは、光案内溝を有する０．６ｍｍ厚の基板、色素記録層、反射層、保護層（有機保護層）をＵＶ接着材または粘着材で０．６ｍｍ厚のカバー基板と接着した構成となる。
【００２５】
相変化型材料を用いた光情報記録媒体のうち、ＣＤ-ＲＷの基本的な構成は、光案内溝を有する１．２ｍｍ厚の基板、第１の保護層（無機保護層）、記録層、第２の保護層（無機保護層）、反射層、第３の保護層（有機保護層）が順次形成された構成となる。
また、ＤＶＤ+ＲＷ、ＤＶＤ-ＲＷは、光案内溝を有する０．６ｍｍ厚の基板、第１の保護層（無機保護層）、記録層、第２の保護層（無機保護層）、反射層、第３の保護層（有機保護層）をＵＶ接着材または粘着材で０．６ｍｍ厚のカバー基板と接着した構成となる。
【００２６】
前記光ディスク１１を構成するものを説明する。
基板は、従来の情報記録媒体の基板として用いられている各種の材料から任意に選択することができる。基板材料の例としては、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン、ポリエステル、ソーダ石灰ガラス等のガラス及びセラミックスを挙げることができる。特に寸法安定性、透明性及び平面性などの点から、ポリメチルメタクリレート、ポリカーボネート樹脂、エポキシ樹脂、アモルファスポリオレフィン、ポリエステル及びガラスなどを挙げることができる。さらに、成形のしやすさからはポリカーボネート樹脂が好ましい。基板においてはランドとグルーブと呼ばれる凹凸のある案内溝が形成されている。ＤＶＤ+Ｒ,ＣＤ-ＲなどＣＤプレーヤー再生可能な記録メディアの特徴の一つとして、案内溝またはピット列が蛇行状にウォブリングすることにより、トラック情報が記録されていることが挙げられる。案内溝の蛇行状態はウォブル信号としてトラック信号から検出でき、所定周波数をＦＭ変調や位相変調することで、トラック情報を基板上に予め記録しておく。トラック情報とは、アドレス情報・ディスクの回転周波数情報などであり、トラック信号から検出する場合は、情報データ信号と分離しやすく、ＲＯＭ信号互換を得やすいという特徴がある。基板に形成した好ましいグルーブ深さは１００〜４００Å（１０〜４０ｎｍ）で、溝幅は０．１〜０．３５μｍである。
【００２７】
色素記録層は、その両界面の多重干渉効果により高反射率を得る構成となっていることから、色素情報記録層には屈折率ｎが大きく、吸収ｋが比較的小さい光学特性が必要である。例えば、ｎ＞２，０．０３＜ｋ＜０．２であることが好ましい。このような光学特性は色素膜の光吸収帯の長波長端部の特性を利用することにより得られる。
【００２８】
この色素記録層に用いられる有機色素記録材料としては、具体的には、例えば、シアニン系色素、フタロシアニン系色素、ピリリウム系・チオピリリウム系色素、アズレニウム系色素、スクワリリウム系色素、アゾ系色素、ホルマザンキレート系色素、Ｎｉ,Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。更に、必要に応じて他の第３成分、例えばバインダー、安定剤等を含有させることができる。なかでも、膜の光吸収スペクトルの最大吸収波長が５５０〜６５０ｎｍにあり、レーザー光波長（約６５０ｎｍ）にて所望の光学特性が得やすい色素化合物としては、溶剤塗布による成膜性、光学特性の調整のしやすさから、テトラアザポルフィラジン色素、シアニン色素、アゾ色素、スクアリリウム色素から選ばれる少なくても1種の色素であることが好ましい。
なお、光吸収層の膜厚は、１００〜５０００Å（１０〜５００ｎｍ）が好ましく、特に５００〜２０００Å（５０〜２００ｎｍ）が望ましい。光吸収層の膜厚が、この範囲より薄くなると記録感度が低下し、また厚くなると反射率が低下するからである。
【００２９】
相変化型記録材料は、レーザー光が照射された後急冷されることにより非晶質マークを形成する相変化型光記録方式による記録が可能であり、ＣＤ−ＲＷ、ＤＶＤ＋ＲＷ、ＤＶＤ−ＲＷ、ＤＶＤ−ＲＡＭの記録層に利用される。この記録層材料としては、Ｇｅ−Ｔｅ系、Ｇｅ−Ｔｅ−Ｓｂ系、Ｇｅ−Ｓｎ−Ｔｅ系などのカルコゲン系合金薄膜が用いられることが多いが、Ｓｂ−Ｔｅ共晶系薄膜が記録（アモルファス化）感度・速度、及び消去比が極めて良好なため、記録層の材料として適している。これらの記録層材料にはさらなる性能向上、信頼性向上などを目的にＡｇ、Ｉｎ、Ｇｅなどの他の元素や不純物を添加することができる。なお記録層の膜厚として５０〜２００Å（５〜２０ｎｍ）が望ましい。光吸収層の膜厚が、この範囲より薄くなると繰り返し記録特性が低下し、また厚くなると透過率が低下するからである。
【００３０】
反射層に用いられる材料は、レーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉ、ＳｉＣなどの金属及び半金属を挙げることができる。これらのうちで好ましいものはＡｕ、Ａｌ及びＡｇである。これら物質では特に高反射率が得られる。これらは単独で用いてもよいし、あるいは二種以上の組合せで又は合金として用いてもよい。なお、反射層の層厚は一般に１０００〜２０００Å（１００〜２００ｎｍ）の範囲が好ましい。
【００３１】
第１，２の無機保護層に用いられる材料の例としては、ＳｉＯ、ＳｉＯ2、ＭｇＦ2、ＳｎＯ2、ＺnＳ、ＺｎＳ-ＳiＯ2等の光透過性が高い無機物質を挙げることができる。特に好ましい材料は結晶性が低く、屈折率が高いＺｎＳ-ＳiＯ2である。また無機保護層の層厚は第１の保護層膜厚として５００〜７００Å（５０〜７０ｎｍ）の範囲が良く、第２の保護層膜厚として１００〜１５０Å（１０〜１５ｎｍ）の範囲が好ましい。
【００３２】
第３の有機保護層は、前記反射層上にオーバーコート形成用材料を塗布し、ポリマーとなる有機モノマーとポリマーとを架橋反応させる重合反応によって設けることができる。保護層形成用材料を塗布する方法としては、スピンコート法やスクリーン印刷などの公知の方法を採用できる。膜厚は１〜３０μｍとするのが良く、特に１０μｍ程度がよい。
【００３３】
前記オーバーコート形成用材料としては、公知の紫外線硬化樹脂を採用できる。紫外線硬化樹脂材料としては、例えばヒドロキシエチル（メタ）アクリレート、ヒドロキシプロピル（メタ）アクリレート、ヒドロキシブチル（メタ）アクリレート、ヒドロキシペンチル（メタ）アクリレート、フェノキシヒドロキシプロピル（メタ）アクリレート、クロロヒドロキシプロピル（メタ）アクリレート、ジエチレングリコールモノ（メタ）アクリレート、トリエチレングリコールモノ（メタ）アクリレート、ポリエチレングリコールモノ（メタ）アクリレート、ジプロピレングリコールモノ（メタ）アクリレート、ポロプロピレングリコールモノ（メタ）アクリレート、グリセリンモノ（メタ）アクリレート、グリセリンジ（メタ）アクリレート、ペンタエリスリトール（メタ）アクリレート、フェニルグリシジルエーテル（メタ）アクリレート、ジペンタエリスリトールペンタ（メタ）アクリレート、ビスフェノールＡエポキシ樹脂のジ（メタ）アクリレートなどのアクリレート樹脂等があげられる。また、これらの材料のうち１種または２種以上を用いてもよい。紫外線硬化させるラジカル開始剤には、例えば１−ヒドロキシシコロヘキシルフェニルケトン、２−ヒドロキシ−２−メチル−１−フェニルプロパン−１−オン、２．２−ジエトキシアセトフェノン、４−フェノキシ−２．２−ジクロロアセトフェノン等のアセトフェノン系、２−ヒドロキシ−２−メチルプロピオフェノン等のプロピオフェノン系、２−クロロアントラキノン等のアントラキノン系、２．４−ジエチルチオキサントン等のチオキサントン系を採用できる。ラジカル開始剤のオーバーコート形成用材料の組成比および／または重量比は、通常、１％〜１０％とする。また、前記した材料の内の１種または２種類以上を混合して使用してもよい。また、これらの樹脂に架橋性モノマーを加えても良い。架橋性モノマーとしては、例えばトリメチロールプロパントリ（メタ）アクリレート、アクリル化イソシアヌレート、１．４ブタンジオールジ（メタ）アクリレート、１．６ヘキサンジオールジ（メタ）アクリレート、ネオペンチルグリコールジ（メタ）アクリレート、ジシクロペンタジエニルジ（メタ）アクリレート、ペンタエリスリトールテトラ（メタ）アクリレートなどが用いられる。これらの材料は１種または２種以上を混合して使用する。また、必要に応じて消泡剤やシリカ等の増粘剤を添加してもよい。
【００３４】
貼り合わせて光ディスク１１を形成するための接着剤としては、紫外線硬化接着剤やカチオン系紫外線硬化接着剤などの紫外線を照射されることで接着能を発揮する接着剤（紫外線硬化接着剤）を採用する。また、光重合開始剤（イニシエータ）に紫外線が照射されることで接着能を発揮する紫外線硬化接着剤を用いてもよい。紫外線硬化接着剤は、貼り合わせる２枚の基板のうち少なくとも１枚に、貼り合わせる面側にスピンコートなどにより塗布する。紫外線硬化接着剤は、５〜５０μｍの厚さで設けることが好ましい。
【００３５】
表示記録層１２ａは、インク受容層またはエネルギーを吸収することにより透明度または色調が変化する記録材料を含むものである。このうち、エネルギーを吸収することにより透明度または色調が変化する記録材料が、透明度または色調の変化に関して可逆性のものであれば可逆性表示記録層となり、不可逆性のものであれば不可逆性表示記録層となる。
【００３６】
可逆性の表示記録層１２ａに用いられる材料としては、エレクトロクロミック材料、フォトクロミック材料、サーモクロミック材料、磁気記録材料、双方向安定性（Ｂｉｓｔａｂｌｅ）液晶材料、熱可逆記録材料などが挙げられる。このうち、エネルギーを印加することにより第一の透明度もしくは色調となり、再度同一もしくは異なるエネルギーを印加することにより第二の透明度もしくは色調となり、前述の第一および第二の透明度もしくは色調はエネルギーを印可することなしに保持できるものが好ましい。
【００３７】
印加されるエネルギーとしては、光、熱、電界、磁気などが挙げられるが、安定性とコストの面から熱エネルギーを利用するとよい。したがって、熱エネルギーの印加に対応する熱可逆記録材料を用いることが好ましい。
【００３８】
この熱可逆記録材料は、熱により透明度や色調が可逆的に変化するものならばどのようなものでもよいが、エネルギーの印加なしに常温で色調及び／又は透明度が異なる２以上の形態を保持できるものであることが好ましい。例としてポリマーを２種以上混合して、その相溶状態の違いで透明、白濁に変化するもの（特開昭６１−２５８８５３号公報）、液晶高分子の相変化を利用したもの（特開昭６２−６６９９０号公報、Ｐ２右上３行目〜Ｐ４左上１７行目）、常温より高い第１の特定温度で第１の色の状態となり、第１の特定温度よりも高い第２の特定温度で加熱し、その後冷却することにより第２の色の状態となるもの、等が挙げられる。
【００３９】
特に、第１の特定温度に加熱した後と第１の特定温度より高い第２の特定温度に加熱した後で透明度や濁度、色調などの色の状態が変化するものは、温度を制御しやすいため好適に用いられる。これらの具体例としては、樹脂中に脂肪酸などの長鎖低分子を分散し第１の特定温度で透明状態となり、第２の特定温度で白濁状態となるもの（特開昭５５−１５４１９８号公報）、特定の樹脂と脂肪酸等を用い第１の特定温度で白濁状態となり、第２の特定温度で透明状態となるもの（特開平３−１６９５９０号公報）、ロイコ染料と長鎖アルキル顕色剤を用い第２の特定温度に加熱後、黒、赤、青等に発色し、第１の特定温度で消色するもの（特開平５−１２４３６０号公報、特開平５−２９４０６３号公報、特開平６−１７１２２５号公報）、ロイコ染料と両性顕色剤を用い第１の特定温度で発色し、第２の特定温度で消色するもの（特開平２−１８８２９３号公報、特開平２−１８８２９４号公報）等が挙げられる。
【００４０】
この熱可逆記録材料に用いられる樹脂としては、ガラス転移温度として６０℃以上のものが好ましく、７０℃以上のものが更に好ましい。また、１２０℃以下のものが好ましく、１００℃以下のものが更に好ましい。ガラス転移温度が低すぎると画像耐熱性が低下し、高すぎると消去性が低下するという不具合が生じる。
具体的には、ポリ塩化ビニル、塩化ビニル−酢酸ビニル共重合体、塩化ビニル−酢酸ビニル−ビニルアルコール共重合体、塩化ビニル−酢酸ビニル−マレイン酸共重合体、塩化ビニル−アクリレート共重合体等の塩化ビニル系共重合体；ポリ塩化ビニリデン、塩化ビニリデン−塩化ビニル共重合体、塩化ビニリデン−アクリロニトリル共重合体等の塩化ビニリデン系共重合体；ポリエステル；ポリアミド；ポリアクリレート又はポリメタクリレート或いはアクリレート、メタクリレート共重合体；シリコーン樹脂、ポリエチレン、ポリプロピレン、ポリスチレン、ポリアクリルアミド、ポリビニルピロリドン、天然ゴム、ポリビニルアルコール、ポリアクロレイン、ポリカーボネート等が挙げられる。これらの樹脂は少なくとも一種で或いは二種以上混合して用いてもよい。上記樹脂の中ではポリ塩化ビニル、塩化ビニル−酢酸ビニル共重合体、塩化ビニル−酢酸ビニル−ビニルアルコール共重合体、塩化ビニル−酢酸ビニル−マレイン酸共重合体、塩化ビニル−アクリレート共重合体等の塩化ビニル系共重合体が好ましく用いられる。さらに繰り返し耐久性を向上させるには、樹脂を架橋することが好ましく、架橋する方法としては熱、紫外線、電子線によるのが好ましい。樹脂を架橋させる際には、各種の架橋剤を用いても良い。例えば、熱架橋の場合には塩化ビニル−酢酸ビニル−ビニルアルコール共重合体などのヒドロキシル基を有する樹脂にイソシアネート基を有する材料を組み合わせて架橋する方法があり、紫外線架橋、電子線架橋の場合にはアクリル系またはメタクリレート系のモノマーやオリゴマーを樹脂とともに用いて架橋する方法などがあるが、これらに限定されるものではない。これらの樹脂、架橋剤および架橋方法は、特開昭６４−６２３６８号、特開平３−２２７６８８号、特開平７−９６６７９号、特開平７−１７２０７２号などの公報に記載されている公知の材料、公知の組み合わせおよび公知の架橋方法は全て使用可能である。一方、有機低分子物質としては熱可逆表示記録層中で粒子状になるものであればよく、一般に融点３０〜２００℃、好ましくは５０〜２００℃程度のものが使用される。このような有機低分子物質としては、長鎖炭化水素を有する長鎖炭化水素含有化合物が好ましい。長鎖炭化水素の炭素数は、６以上が好ましく、８以上が更に好ましく、１０以上が特に好ましく、５０以下が好ましく、４０以下が更に好ましく、３０以下が特に好ましい。この炭素数は、一つの分子の中で２カ所以上に分割されていてもよく、一つの分子内の炭化水素鎖の合計の炭素数を表している。
【００４１】
また、有機低分子物質は、低融点の材料と高融点の材料を組み合わせて用いることが好ましい。すなわち、融点の異なる有機低分子物質を組み合わせて用いることにより、透明になる温度の範囲を拡大することができる。
例えば、低融点有機低分子物質の融点は、５０℃以上が好ましく、７０℃以上が更に好ましく、８０℃以上が特に好ましく、そして１００℃未満であるのが好ましい。また、高融点有機低分子物質の融点は、１００℃以上が好ましく、１２０℃以上が更に好ましく、１３０℃以上が特に好ましく、１４０℃以上がより好ましく、２００℃以下が好ましく、１８０℃以下がさらに好ましく、１７０℃以下が特に好ましい。さらに、低融点有機低分子物質と高融点低分子物質の融点の温度差は３０℃以上が好ましく、４０℃以上が更に好ましく、５０℃以上が特に好ましい。
なお、低融点有機低分子物質の融点が上がると画像耐熱性が向上する。
【００４２】
高融点有機低分子物質の融点が上がると、低融点有機低分子物質の融点との温度差が拡大し、透明化温度幅が広くなり処理速度が上がっても透明化しやすくなり、高融点有機低分子物質の融点が下がると画像形成の感度が向上する。低融点有機低分子物質の具体例としては、脂肪酸エステル、二塩基酸エステル、多価アルコールジ脂肪酸エステル、高級アルキル基を有するケトン、脂肪酸、アルキルアミド、アルキル尿素が挙げられるが、これらに限定されるものではない。これらは少なくとも１種あるいは２種以上混合して用いられる。高融点有機低分子物質の具体例としては、脂肪族飽和ジカルボン酸、高級アルキル基を有するケトンから誘導されるセミカルバゾン、αーホスホノ脂肪酸、脂肪酸アミド、脂肪族ビスアミド、脂環式ジカルボン酸、ステロイド骨格を有する脂肪酸などが挙げられ、下記のものが好ましいが、これらに限定されるものではない。これらは、一種又は二種以上混合して用いられる。これらの有機低分子物質は、特開平２−１３６３、特開平３−２０８９、特開平５−７７５４９、特開平５−９６８５０、特開平５−１２４３４３、特開平５−２９４０６２、特開平６−４８０２４、特開平８−２０１６７などに記載されている公知の材料および公知の組み合わせは全て使用可能である。これらの低融点有機低分子物質と高融点有機低分子物質の混合重量比は９５：５〜５：９５が好ましく、９０：１０〜１０：９０が更に好ましく、８０：２０〜２０：８０が特に好ましい。なお、熱可逆表示記録層中の有機低分子物質と樹脂との割合は、重量比で２：１〜１：１６程度が好ましく、１：２〜１：８が更に好ましく、１：２〜１：４が特に好ましい。樹脂の比率がこれ以下になると、有機低分子物質を樹脂中に保持した膜に形成することが困難となり、またこれ以上になると、有機低分子物質の量が少ないため、不透明化が困難になる。
【００４３】
熱可逆性の表示記録層１２ａには以上の成分の他に、透明画像の形成を容易にするために、界面活性剤、可塑剤等の添加剤を添加することができる。これらは例えば特開昭６３−１０４８７９号公報、特開昭６３−１７８０７９号公報などの公報に開示されている。しかしながら本発明において使用できる添加剤はこれらに限定されるものではない。
【００４４】
次に、ロイコ染料と長鎖アルキル顕色剤とを用い、発色と消色が可能な熱可逆記録材料の詳細を説明する。熱可逆記録材料は樹脂バインダー中にロイコ染料および顕色剤を分散させることによって形成される。ここで用いられるロイコ染料は、例えばトリフェニルメタンフタリド系化合物、フルオラン系化合物、フェノチアジン系化合物、ロイコオーラミン系化合物、インドリノフタリド系化合物などから選択できる。
【００４５】
顕色剤は、分子内にロイコ染料を発色させる顕色能をもつ構造、例えばフェノール性水酸基、カルボン酸基、リン酸基などと、分子間の凝集力を制御する構造、例えば長鎖炭化水素基が連結した構造とをもつ化合物である。連結部分にはヘテロ原子を含む２価の基を介していても良く、また長鎖炭化水素基中にもヘテロ原子を含む２価の基または芳香族基が含まれていても良い。具体的には特開平５−１２４３６０号公報などに記載されている公知の顕色剤が使用できる。この顕色剤の融点は１２０℃以上が好ましく、１４０℃以上が更に好ましく、そして２００℃以下が好ましく、１８０℃以下が更に好ましい。顕色剤の融点が低すぎると消去性が低下し、高すぎると画像形成に要するエネルギーが高くなり、感度が低下するという不具合が生じる。
【００４６】
図２は、この組成物の発色濃度と温度との関係を示したものである。はじめ消色状態（Ａ）にある組成物を昇温していくと、溶融し始める温度Ｔ1で発色が起こり溶融発色状態（Ｂ）となる。溶融発色状態（Ｂ）から急冷すると発色状態のまま室温に下げることができ、固まった発色状態（Ｃ）となる。この発色状態が得られるかどうかは、溶融状態からの降温の速度に依存しており、徐冷では降温の過程で消色が起き、はじめと同じ消色状態（Ａ）あるいは急冷発色状態（Ｃ）より相対的に濃度の低い状態が形成される。一方、急冷発色状態（Ｃ）を再び昇温していくと発色温度より低い温度Ｔ2で消色が起き（ＤからＥ）、ここから降温するとはじめと同じ消色状態（Ａ）に戻る。
【００４７】
なお、可逆性の表示記録層１２ａの膜厚は、それぞれの材料によっても異なるが、１．０〜１００μｍが好ましく、特に好ましくは２．０〜６０μｍである。
【００４８】
不可逆性の表示記録層１２ａを構成する不可逆性表示記録材料としての例としては，ロイコ染料と顕色剤を用いる方法が挙げられる。
【００４９】
ロイコ染料と顕色剤を用いる不可逆性の表示記録層１２ａにおいて用いるロイコ染料（発色剤）は単独又は２種以上混合して適用されるが、このようなロイコ染料としては、この種の感熱記録材料に適用されている下記のようなものが任意に使用されるが、これだけに限定されるものではない。
【００５０】
例えば、トリフェニルメタン系、フルオラン系、フェノチアジン系、オーラミン系、スビロビラン系、インドリノフクリド系等の染料のロイコ化合物が好ましく用いられる。このようなロイコ決料の具体例としては、例えば、以下に示すようなものが挙げられる。
【００５１】
３，３−ビス（ｐ−ジメチルアミノフェニル）−フタリド、３，３−ビス（ｐ−ジメチルアミノフェニル）−６−ジメチルアミンフタリド（別名：クリスタルバイオレットラクトン）、３，３−ビス（ｐ−ジメチルアミノフェニル）−６−ジエチルアミノフタリド、３，３−３−ビス（ｐ−ジエチルアミノフェニル）−６−クロルフタリド、３，３−ビス（ｐ−ジブチルアミノフェニル）フタリド、３−シクロへキシルアミノ−６−クロルフルオラン、３−ジメチルアミノ−５，７−ジメチルフルオラン、３−ジエチルアミノ−７−クロロフルオラン、３−ジメチルアミノ−７−メチルフルオラン、３−ジエチルアミノ−７，８−ベンズフルオラン、３−ジエチルアミノ−６−メチル−７−クロルフルオラン、３−（Ｎ−Ｐ−トリル−Ｎ−エチルアミノ）−６−メチル−７−アニリノフルオラン、３−ピロリジノ−６−メチル−７−アニリノフルオラン、２−〔Ｎ−（３’−トリフルオルメチルフェニル）アミノ〕−６−ジエチルアミノフルオラン、２−〔３，６−ビス（ジエチルアミン）−９−（ｏ−クロルアニリノ）キサンチル安息青酸ラクタム〕、３−ジエチルアミノ−６−メチル−７−（ｍ−トリクロロメチルアニリノ）フルオラン、３−ジエチルアミノ−７−（ｏ−クロルアニリノ）フルオラン、３−ジ−ｎ−ブチルアミノ−７−（ｏ−クロルアニリノ）フルオラン、３−Ｎ−メチル−Ｎ−ｎ−アミルアミノ−６−メチル−７−アニリノフルオラン、３−Ｎ−メチル−Ｎ−シクロヘキシルアミノ−６−メチル−７−アニリノフルオラン、３−ジエチルアミノ−６−メチル−７−アニリノフルオラン、３−（Ｎ，Ｎ−ジエチルアミノ）−５−メチル−７−（Ｎ，Ｎ−ジベンジルアミノ）フルオラン、ベンゾイルロイコメチレンブルー、６’−クロロ−８’−メトキシ−ベンゾインドリノースピロピラン、６’−ブロモ−３’−メトキシ−ベンゾインドリノースピロピラン、３−（２’−ヒドロキシ−４’−ジメチルアミノフェニル）−３−（２’−メトキシ−５’−クロルフェニル）フタリド、３−（２’−ヒドロキシ−４’−ジメチルアミノフェニル）−３−（２’−メトキシ−５’−ニトロフェニル）フタリド、３−（２’−メトキシ−４’−ジメチルアミノフェニル）−３−（２’−ヒドロキシ−４’−クロル−５’−メチルフェニル）フタリド、３−（Ｎ−エチル−Ｎ−テトラヒドロフルフリル）アミノ−６−メチル−７−アニリノフルオラン、３−Ｎ−エチル−Ｎ−（２−エトキシプロピル）アミノ−６−メチル−７−アニリノフルオラン、３−Ｎ−メチル−Ｎ−イソブチル−６−メチル−７−アニリノフルオラン、３−モルホリノ−７−（Ｎ−プロピル−トリフルオロメチルアニリノ）フルオラン、３−ピロリジノ−７−ｍ−トリフルオロメチルアニリノフルオラン、３−ジエチルアミノ−５−クロロ−７−（Ｎ−ベンジル−トリフルオロメチルアニリノ）フルオラン、３−ピロリジノ−７−（ジ−ｐ−クロルフェニル）メチルアミノフルオラン、３−ジエチルアミノ−５−クロル−７−（α−フェニルエチルアミノ）フルオラン、３−（Ｎ−エチル−ｐ−トルイジノ）−７−（α−フェニルエチルアミノ）フルオラン、３−ジエチルアミノ−７−（ｏ−メトキシカルボニルフェニルアミノ）フルオラン、３−ジ��チルアミノ−５−メチル−７−（α−フェニルエチルアミノ）フルオラン、３−ジエチルアミノ−７−ピペリジノフルオラン、２−クロロ−３−（Ｎ−メチルトルイジノ）−７−（ｐ−ｎ−ブチルアニリノ）フルオラン、３−（Ｎ−メチル−Ｎ−イソプロピルアミノ）−６−メチル−７−アニリノフルオラン、３−ジ−ｎ−ブチルアミノ−６−メチル−７−アニリノフルオラン、３，６−ビス（ジメチルアミノ）フルオランスピロ（９，３’）−６’−ジメチルアミノフタリド、３−（Ｎ−ベンジル−Ｎ−シクロへキシルアミノ）−５，６−ベンゾ−７−α−ナフチルアミノ−４’−ブロモフルオラン、３−ジエチルアミノ−６−クロル−７−アニリノフルオラン、３−ジエチルアミノ−６−メチル−７−メシチジノ−４’、５’−ベンゾフルオラン、３−Ｎ−メチル−Ｎ−イソプロピル−６−メチル−７−アニリノフルオラン、３−Ｎ−エチル−Ｎ−イソアミル−６−メチル−７−アニリノフルオラン、３−ジエチルアミノ−６−メチル−７−（２’，４’−ジメチルアニリノ）フルオラン等。
【００５２】
また、不可逆性の表示記録層１２ａで用いる顕色剤としては前記ロイコ染料を熱、溶媒下等で接触させ発色させる電子受容性の種々の化合物、又は酸化剤等が適用される。
【００５３】
このようなものは従来公知であり、その具体例としては以下に示すようなものが挙げられるが、これだけに限定されるものではない。４，４’−イソプロピリデンジフェノール、４，４’−イソプロピリデンビス（ｏ−メチルフェノール）、４，４’−セカンダリーブチリデンビスフェノール、４，４’−イソプロピリデンビス（２−ターシャリーブチルフェノール）、Ｐ−ニトロ安息香酸亜鉛、１，３，５−トリス（４−ターシャリーブチル−３−ヒドロキシ−２，６−ジメチルベンジル）イソシアヌル酸、２，２−（３，４’−ヒドロキシジフェニル）プロパン、ビス（４−ヒドロキシ−３−メチルフェニル）スルフィド、４−〔β−（ｐ−メトキシフェノキシ）エトキシ〕サリチル酸１，７−ビス（４−ヒドロキシフェニルチオ）−３，５−ジオキサヘプタン、１，５−ビス（４−ヒドロキシフェニルチオ）−５−オキサペンタン、フタル酸モノベンジルエステルモノカルシウム酸、４，４’−シクロへキシリデンジフェノール、４，４’−イソプロピリデンビス（２，−クロロフェノール）、２，２’−メチレンビス（４−メチル−６−ターシャリーブチルフェノール）、４，４’−ブチリデンビス（６−ターシャリーブチル−２−メチル）フェノール、１，１，３−トリス（２−メチル−４−ヒドロキシ−５一ターシャリーブチルフェニル）ブタン、１，１，３−トリス（２−メチル−４−ヒドロキシ−５−シクロヘキシルフェニル）ブタン、４，４’−チオビス（６−ターシャリーブチル−２−メチル）フェノール、４，４’−ジフェノールスルホン、４−イソプロポキシ−４’−ヒドロキシフェニルスルホン、４−ベンジロキシ−４’−ヒドロキシジフェニルスルホン、４，４’−ジフェノールスルホキシド、ｐ−ヒドロキシ安息香酸イソプロピル、ｐ−ヒドロキシ安息香酸ベンジル、プロトカテキュ酸ベンジル、没食子酸ステアリル、没食子酸ラウリル、没食子酸オクチル、１，３−ビス（４−ヒドロキシフェニルチオ）−プロパン、Ｎ，Ｎ’−ジフェニルチオ尿素、Ｎ，Ｎ’−ジ（ｍ−クロロフェニル）チオ尿素、サリチルアニリド、ビス−（４−ヒドロキシフェニル）酢酸メチル、ビス−（４−ヒドロキシフェニル）酢酸べンジル、１，３−ビス（４−ヒドロキシフェニル）酢酸ベンジル、１，３−ビス（４−ヒドロキシクミル）ベンゼン、１，４−（４−ヒドロクミル）ベンゼン、２，４’−ジフェノールスルホン、２，２’−ジアリル−４，４’−ジフェノールスルホン、３，４−ジヒドロキシフェニル−４’−メチルジフェニルスルホン、１−アセチルオキシ−２−ナフトエ酸亜鉛、２−アセチルオキシ−１−ナフトエ酸亜鉛、２−アセチルオキシ−３−ナフトエ酸亜鉛、α，α−ビス（４−ヒドロキシフェニル）−α−メチルトルエン、チオシアン酸亜鉛のアンチピリン錯体、テトラブロモビスフェノールＡ、テトラブロモビスフェノールＳ、４，４’−チオビス（２−メチルフェノール）、４，４’−チオビス（２−クロロフェノール）等。
【００５４】
不可逆性の表示記録層１２ａにおいて顕色剤は、発色剤１重量部に対して１〜２０重量郎、好ましくは２〜１０重量部である。これら発色剤、顕色剤はともに単独もしくは２種以上混合して使用することができる。
【００５５】
不可逆性の表示記録層１２ａに用いるバインダー樹脂として好ましいものは分子内に水酸基又はカルボキシル基を有する樹脂である。このような樹脂には、例えばポリビニルブチラール、ポリビニルアセトアセタール等のポリビニルアセタール類、エチルセルロース、セルロースアセテート、セルロースアセテートプロピオネート、セルロースアセテートブチレート等のセルロース誘導体、エポキシ樹脂等が挙げられるが、これらに限定されるものではない。また、これらバインダー樹脂は単独又は２種以上混合して適用される。
【００５６】
不可逆性の表示記録層１２ａには必要に応じて補助添加成分として、熱可融性物質を単独又は２種以上併用することができる。熱可融性物質としては、例えば高級脂肪酸又はそのエステル、アミドもしくは金属塩の他、各種ワックス類、芳香族カルボン酸とアミンとの縮合物、安息香酸フェニルエステル、高級直鎖グリコール、３，４−エポキシ−へキサヒドロフタル酸ジアルキル、高級ケトン、その他の熱可溶性有機化合物等の５０〜２００℃程度の融点を持つものが挙げられるが、これらに限定されるものではない。
【００５７】
なお、本発明における不可逆性の表示記録層１２ａを得る場合には、ロイコ染料、顕色剤、バインダー樹脂とともに必要に応じこの種の感熱記録媒体に慣用される添加成分、例えば填料、界面活性剤、滑剤、圧力発色防止剤等を表示記録層の透明性を損なわない範囲で併用することができる。
【００５８】
この場合、填料として例えば炭酸カルシウム、シリカ、酸化亜鉛、酸化チタン、水酸化アルミニウム、水酸化亜鉛、硫酸バリウム、クレー、カオリン、タルク、表面処理されたカルシウムやシリカ等の無機系微粉末の他、尿素−ホルマリン樹脂、スチレン／メタクリル酸共重合体、ポリスチレン樹脂、塩化ビニリデン系樹脂などの有機系の微粉末を挙げることができる。滑剤としては高級脂肪酸及びその金属塩、高級脂肪酸アミド、高級脂肪酸エステル、動物性、植物性、鉱物性又は石油系の各種ワックス類などが挙げられる。
【００５９】
表示記録層１２ａは発色剤、顕色剤、バインダー樹脂をともに溶剤中に均一に分散もしくは溶解し、これを上質紙やフィルム等からなる支持体上に塗布、乾燥して作成するが、塗工方式は特に限定されない。
【００６０】
表示記録層塗布液の分散粒径は１０μｍ以下が好ましく、５μｍ以下がより好ましく、１μｍ以下が更に好ましい。表示記録層の膜厚は表示記録層の組成や熱粘着性ラベルの用途にもよるが１〜５０μｍ程度、好ましくは３〜２０μｍ程度である。
【００６１】
本発明では表示記録層１２ａ上に保護層を設けることもできる。本発明で使用する保護層は表示記録層１２ａの透明性、耐薬品性、耐水性、耐摩擦性、耐光性及びサーマルヘッドに対する耐久性、耐腐蝕性、滑性等のいわゆるヘッドマッチング性の向上のため本発明の構成要素として重要である。この保護層には水溶性樹脂や疎水性樹脂を主体として形成された成膜や、紫外線硬化樹脂または電子線硬化樹脂を主体として形成された成膜等が包含される。
【００６２】
このような樹脂としては水溶性樹脂の他、水性エマルジョン、疎水性樹脂及び紫外線硬化樹脂、さらに電子線硬化樹脂が包含される。
【００６３】
水溶性樹脂の具体例としては、例えば、ポリビニルアルコール、変性ポリビニルアルコール、セルロース誘導体（メチルセルロース、メトキシセルロース、ヒドロキシセルロース等）、カゼイン、ゼラチン、ポリビニルピロリドン、スチレン−無水マレイン酸共重合体、ジイソブチレン−無水マレイン酸共重合体、ポリアクリルアミド、変性ポリアクリルアミド、メチルビニルエーテル−無水マレイン酸共重合体、カルボキシ変性ポリエチレン、ポリビニルアルコール／アクリルアミドブロック共重合体、メラミン−ホルムアルデヒド樹脂、尿素−ホルムアルデヒド樹脂等が挙げられる。
【００６４】
水性エマルジョン用の樹脂または疎水性樹脂としては、例えば、ポリ酢酸ビニル、ポリウレタン、スチレン／ブタジエン共重合体、スチレン／ブタジエン／アクリル系共重合体、ポリアクリル酸、ポリアクリル酸エステル、塩化ビニル／酢酸ビニル共重合体、ポリブチルメタクリレート、ポリビニルブチラール、ポリビニルアセタール、メチルセルロース、エチルセルロース、エチレン／酢酸ビニル共重合体等が挙げられる。
【００６５】
また、これらの樹脂とシリコンセグメントとの共重合体も好ましく用いられる。これらは単独もしくは混合して使用され、更に必要に応じて硬化剤を添加して樹脂を硬化させても良い。
【００６６】
紫外線硬化樹脂は紫外線照射によって重合反応を起こし、硬化して樹脂となるモノマー、オリゴマーあるいはプレポリマーであればその種類は特に限定されず、公知の種々のものが使用できる。
【００６７】
電子線硬化型樹脂も特に種類は限定されないが、特に好ましい電子線硬化樹脂としては、ポリエステルを骨格とする５官能以上の分枝状分子構造を有する電子線硬化樹脂及びシリコン変性電子線硬化樹脂を主成分としたものである。
【００６８】
保護層にはヘッドマッチングの向上のために無機及び／又は有機フィラーや滑剤を表面の平滑性を落とさない範囲で添加することができる。フィラーの粒径としては０．３μｍ以下が好ましい。また、この場合のフィラーとしては給油量３０ｍｌ／１００ｇ以上、好ましくは８０ｍｌ／１００ｇ以上のものが選択される。
【００６９】
これらの無機及び／又は有機フィラーとしては、この種の感熱記録媒体に使用される顔料中の１種又は２種以上を選択することができる。その具体例としては炭酸カルシウム、シリカ、酸化亜鉛、酸化チタン、水酸化アルミニウム、水酸化亜鉛、硫酸バリウム、クレー、タルク、表面処理されたカルシウムやシリカ等の無機顔料の他、尿素−ホルマリン樹脂、スチレン／メタクリル酸共重合体、ポリスチレン樹脂などの有機顔料を挙げることができる。また、滑剤としては表示記録層の説明で挙げたものが使用できる。
【００７０】
保護層の塗工方式は特に制限はなく、従来公知の方法で塗工することができる。好ましい保護層の厚さは０．１〜２０μｍ、より好ましくは０．５〜１０μｍである。保護層の厚さが薄すぎると、熱粘着性ラベルの保存性やヘッドマッチング等の保護層としての機能が不充分であり、厚すぎると表示記録層の熱感度が低下するし、コスト的にも不利である。
【００７１】
本発明においては必要に応じて、ベースフィルム１２ｂと接着層１２ｃとの間、及び／又は、ベースフィルム１２ｂと表示記録層１２ａとの間に断熱層（アンダー層）が設けられる。この断熱層を設けることによって、サーマルヘッドの熱のエネルギーの効率を向上させ、もって熱活性化温度を下げることができる。さらに、感圧粘着剤層の熱活性化時、反対面の表示記録層の発色をブロックすることができる。
【００７２】
断熱層は微小中空粒子及びバインダーと共に必要とあれば顔料、またこの種の感熱記録材料に慣用される補助添加成分、例えば、熱可溶性物質、フィラー、界面活性剤等を併用することができる。この場合、熱可溶性物質の具体例としては、表示記録層１２ａの説明において述ベた熱可溶性物質と同様のものが用いられる。
【００７３】
本発明における非発泡性断熱層で用いる樹脂としては、以下のような化合物が例示されるが必ずしもこれらに限定されるものではない。ＳＢＲ、ＭＢＲ、ＮＢＲ等のラテックス及びポリビニルアルコール、セルロース誘導体、澱粉及びその誘導体、カルボキシル基変性ポリビニルアルコール、ポリアクリル酸及びその誘導体、スチレン／アクリル酸共重合体及びその誘導体、ポリ（メタ）アクリルアミド及びそれらの誘導体、スチレン／アクリル酸／アクリルアミド共重合体、アミノ基変性ポリビニルアルコール、エポキシ変性ポリビニルアルコール、ポリエチレンイミン、イソブチレン／無水マレイン酸共重合体及びその誘導体等の水溶性高分子樹脂。
【００７４】
また、フィラーとしては、例えば、炭酸カルシウム、シリカ、酸化亜鉛、酸化チタン、水酸化アルミニウム、水酸化亜鉛、硫酸バリウム、クレー、タルク、表面処理されたカルシウムやシリカ等の無機系微粉末の他、尿素−ホルマリン樹脂、スチレン／メタクリル酸共重合体、ポリスチレン樹脂等の有機系の微粉末を挙げることができる。
【００７５】
本発明における断熱層としては熱可塑性樹脂を殻としてなる中空度３０％以上の微小中空粒子又はポーラスな顔料を用いた非発泡性断熱層及び発泡性フィラーを用いた発泡性断熱層があげられるが、好ましくは非発泡性断熱層である。
【００７６】
本発明の断熱層に用いられる熱可塑性樹脂を殻としてなる中空度３０％以上の微小中空粒子は、内部に空気その他の気体を含有するもので、既に発泡状態になっている微小中空粒子であり、この個数平均粒子は２．０〜２０μｍのものが使用できるが、３〜１０μｍのものがより好ましい。この個数平均粒子径（粒子外径）が２．０μｍよりも小さいものは、任意の中空度にするのが難しい等の生産上の問題があって、コストの面で問題があり、逆に２０μｍより大きいものは、塗布乾燥後の表面の平滑性が低下するため、サーマルヘッドとの密着性が低下し、ドット再現性が悪くなるとともに感度向上効果が低下する。従って、このような粒子分布は粒子径が前記範囲にあると同じに、バラツキの少ない分布スペクトラムの均一なものが望ましい。
【００７７】
さらに、本発明において用いるプラスチック球状中空粒子は中空度が３０％以上のものが使用できるが、５０％以上がより好ましい．この中空度が３０％未満のものは断熱性が不十分なため、サーマルヘッドからの熱エネルギーが支持体を通じて熱粘着性ラベルの外へ放出され、発色感度向上がなされず、また、光照射による熱変換の熱エネルギーの断熱効果が少なく、感圧粘着剤の活性化の効果が劣り、粘者性の発現が弱まる。
【００７８】
なお、ここでいう中空度とは、中空粒子の外径と内径の比であり、下記式で表示されるものである。
【００７９】
（中空度）＝（中空粒子の外径）／（中空粒子の内径）×１００（％）
【００８０】
本発明で用いる微小中空粒子は、前記したように熱可塑性樹脂を殻とするものであるが、この熱可塑性樹脂としては、特に塩化ビニリデンとアクリロニトリルを主体とする共重合体樹脂が好ましい。また、本発明の断熱層に用いられる他のポーラスな顔料としては、尿素ホルムアルデヒド樹脂等の有機顔料やシラス土等の無機顔料等があるが、必ずしもこれらに限定されるものではない。
【００８１】
ベースフィルム１２ｂと接着層１２ｃとの間、及び／又は、ベースフィルム１２ｂと表示記録層１２ａとの間に非発泡性断熱層を設けるには、前記の微小中空粒子を公知の水溶性高分子、水性高分子エマルジョンなどのバインダーと共に水と分散し、これをベースフィルム１２ｂ表面に塗布し、乾燥することによって得られる。この場合、微小中空粒子の塗布量は、ベースフィルム１２ｂ  １ｍ2当たり少なくとも１ｇ、好ましくは２〜１５ｇ程度であり、またバインダー樹脂の塗布量は、非発泡性断熱層を支持体に強く結合させるような量でよく、通常は該微小中空粒子とバインダー樹脂との合計量に対して２〜５０重量％である。
【００８２】
本発明において、前記非発泡性断熱層を形成する際に使用されるバインダーとしては、従来公知の水溶性高分子及び／又は水性高分子エマルジョンから適宜選択される。その具体例としては、水溶性高分子として、例えば、ポリビニルアルコール、澱粉及びその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド／アクリル酸エステル共重合体、アクリルアミド／アクリル酸エステル／メタクリル酸三元共重合体、スチレン／無水マレイン酸共重合体アルカリ塩、イソブチレン／無水マレイン酸共重合体アルカリ塩、ポリアクリルアミド、アルイン酸ソーダ、ゼラチン、カゼイン等が挙げられる。
【００８３】
また、水性高分子エマルジョンとしては、スチレン／ブタジエン共重合体、スチレン／ブタジエン共重合体、スチレン／ブタジエン／アクリル系共重合体等のラテックスや酢酸ビニル樹脂、酢酸ビニル／アクリル酸共重合体、スチレン／アクリル酸エステル共重合体、アクリル酸エステル樹脂、ポリウレタン樹脂等のエマルジョン等が挙げられる。
【００８４】
接着層１２ｃに用いられる材料としては、ユリア樹脂、メラミン樹脂、フェノール樹脂、エポキシ樹脂、酢ビ系樹脂、酢酸ビニル−アクリル系共重合体、エチレン−酢酸ビニル共重合体、アクリル系樹脂、ポリビニルエーテル系樹脂、塩化ビニル−酢酸ビニル系共重合体、ポリスチレン系樹脂、ポリエステル系樹脂、ポリウレタン系樹脂、ポリアミド系樹脂、塩素化ポリオレフィン系樹脂、ポリビニルブチラール系樹脂、アクリル酸エステル系共重合体、メタクリル酸エステル系共重合体、天然ゴム、スチレン-ブタジエン、ポリイソブチレン、イソプレンなどのゴム系の粘着材、シアノアクリレート系樹脂、シリコン系樹脂などが挙げられる。また、接着層１２ｃ自身が、緩衝性や弾性を示す材料でも良いし、さらには緩衝性や弾性を有する材料を含んでもよく、これらに限定されるものではない。緩衝・弾性材料として軟質ポリエチレン、ポリ酢酸ビニル、二トリルブタジエンゴムなど挙げられるが、これらに限定されるものではない。
【００８５】
判別タグ１３は、表示記録層１２ａの有無情報、その種類情報、表示記録層１２ａへの記録可否情報の少なくともいずれか１つの情報を有するものである。
ここで、表示記録層１２ａの有無情報とは、光情報記録媒体に表示記録層を有するか有しないかの情報であり、図１に示す構成の光情報記録媒体１０であれば表示記録層ありの情報をもつ。
表示記録層１２ａの種類情報とは、表示記録層１２ａへの表示記録方式で分類される種類であり、例えばインク受容層、可逆性記録材料を含む層、不可逆性記録材料を含む層などの情報をもち、さらに可逆性記録材料を含む層、不可逆性記録材料を含む層については印加エネルギーの種類（光、熱、電界、磁気など）の情報が付加される。
表示記録層１２ａへの記録可否情報とは、表示記録層１２ａへの記録が可能であるか否かを示す情報であり、例えば表示記録層１２ａへの記録が可逆性のものの場合には繰り返し記録可の情報をもち、不可逆性のものの場合には１回のみ記録可の情報をもつ。あるいは、判別タグ１３がその保有情報の書き換えが可能なものである場合には、表示記録層１２ａへの記録状況に応じて記録可否情報が更新されるようにしてもよい。例えば、不可逆性の表示記録層１２ａへの記録後にその表示記録層１２ａに記録可能な領域が残っていれば記録可情報とし、記録可能な領域がなくなれば記録不可情報に更新する。
【００８６】
図３に判別タグ１３の例を示す。図３は光情報記録媒体１０を表示記録層１２ａ側から見た上面図である。図３に示すように、判別タグ１３として、ＲＦＩＤ（Ｒａｄｉｏ  Ｆｒｅｑｕｅｎｃｙ  ＩＤｅｎｔｉｆｉｃａｔｉｏｎ）タグ１３ａ（図３（ａ））、バーコード層１３ｂ（図３（ｂ））、磁気印刷層１３ｃ（図３（ｃ））、反射マーカー層１３ｄ（図３（ｄ））などが挙げられる。
【００８７】
ＲＦＩＤタグ１３ａは、別名ＩＣタグと呼ばれるもので、超小型のＩＣチップと無線通信用のアンテナを組み合わせたＩＣタグであり、ＩＣチップに表面表示層１２ａに関する固有情報が予め記録されている。また、ＲＦＩＤタグリーダ/ライタと呼ばれる無線通信装置を使って、このＩＣチップにデータを書き込んだり、そのデータを読み取ったりすることができ、光情報記録媒体１０が装着された光情報記録再生装置側に設けたＲＦＩＤタグリーダでＩＣチップに書き込まれた情報を再生することにより、表示記録層１２ａの有無情報、その種類情報、記録の可否情報を検出、判別することが可能となる。
【００８８】
なお、図３（ａ）ではＲＦＩＤタグ１３ａの配置位置としてＲＦＩＤタグ１３ａが表示記録層１２ａ上に形成された例を示したが、これに限定されず、光情報記録媒体１０の機能を阻害しない領域であれば、ＲＦＩＤタグ１３ａを表示記録層ラベル１２と光ディスク１１との間などに貼り付けたり、光ディスク１１中、表示記録層ラベル１２中に埋め込むなどしてもよい。
【００８９】
バーコード層１３ｂは、表示記録層１２ａの有無情報、その種類情報、記録の可否情報など表面表示層１２ａに関する固有情報を有するバーコードシンボルが形成された層である。このバーコードシンボルは、例えばＪＩＳ規格（ＪＩＳ  Ｘ  ０５０２）に記載されている物流商品コード用バーコードシンボルを適用すればよく、光学的に反射率の低いバーと高いバーをバーコードリーダで読み込むことによりその情報を検出することが可能である。
【００９０】
磁気印刷層１３ｃは、印刷により形成された磁気記録層であり、表示記録層１２ａの有無情報、その種類情報、記録の可否情報など表面表示層１２ａに関する固有情報が記録されている。これらの情報は磁気ヘッドにより検出することが可能である。
【００９１】
反射マーカー層１３ｄは、表示記録層１２ａとは異なる特定の反射率を有する反射層であり、例えば反射率マーカー層１３ｄが検出されることにより表示記録層１２ａがあると判定することが可能である。この情報はＬＥＤセンサにより検出することが可能である。
【００９２】
また、表示記録層１２ａの有無情報および／またはその種類情報（バージョン情報を含む）などの表示記録層１２ａの固有情報を光ディスク１１の光情報記憶層のメディアＩＤ領域に記録するようにしてもよい。
【００９３】
すなわち、ＣＤ−Ｒ、ＣＤ−ＲＷ、ＤＶＤ±Ｒ、ＤＶＤ±ＲＷ、ＤＶＤ−ＲＡＭメディアなどの光ディスクにおいては、アドレス情報及びディスクの種類やディスクへの最適記録条件を格納する領域（メディアＩＤ領域）が存在している。そこで、本発明では、この領域を使用して表示記録層１２ａを設けた光情報記録媒体と設けない光情報記録媒体で異なった設定値にしたり、不可逆性の表示記録層を有する光情報記録媒体と可逆性の表示記録層を有する光情報記録層で異なる設定値にしたりすることにより、表示記録層１２ａ判別タグの代わりとして使用することが可能である。
【００９４】
また、表示記録層１２ａの固有情報の記録は、このメディアＩＤ領域の特定の領域を利用することが好ましい。詳しくはこの領域の中のＰｒｏｄｕｃｔ  ｒｅｖｉｓｉｏｎ  Ｎｕｍｂｅｒ、Ｅｘｔｅｎｄｅｄ  Ｉｎｆｏｒｍａｔｉｏｎ  Ｂｌｏｃｋと呼ばれる領域が、メディアメーカーが自由に設定可能な領域あるいは拡張情報を格納するための領域であり、これらの領域を用いるとよい。
【００９５】
なお、メディアＩＤ領域に記録された表示記録層１２ａの固有情報は、光情報記録媒体１０が、光情報記録再生装置にローディングされたのち光ピックアップにより取得することが可能である。
【００９６】
上記に示した判別タグ１３、メディアＩＤ領域への表示記録層１２ａの固有情報の記録のうち、１または２以上を光情報記録媒体１０に設けることにより、表示記録層１２ａの有無、その種類、バージョン情報などの表示記録層に関する情報を光情報記録再生装置が検出することが可能となり、その情報に基づいて表示記録層１２ａへの記録に関して適切な処理を行うことが可能となる。
【００９７】
なお、本発明に係る光情報記録媒体として、図４に示すように、光ディスク１１の記録再生面とは反対面に、スピンコート、オフセット印刷、スクリーン印刷などにより表示記録層１２ａを直接形成し、さらに表示記録層１２ａの上に判別タグ１３を設けた構成としてもよい。
【００９８】
つぎに、本発明の光情報記録媒体の表示記録方法の第１の実施の形態として、判別タグを用いた表示記録方法について説明する。
図５は、光情報記録媒体の表示記録方法を実施するための光情報記録再生装置の構成例を示すブロック図である。
光情報記録再生装置１００は、判別タグ検出手段１０１と、表示記録層に表示するための記録を行う表示記録層記録手段１０２と、光ディスク記録再生手段１０３と、判別タグ検出手段１０１、表示記録層記録手段１０２、光ディスク記録再生手段１０３をそれぞれ制御し、判別タグ検出手段１０１からの検出情報を受けて種々の判定を行う判別タグ情報判定部１０４ａを有する制御部１０４とから構成される。
【００９９】
判別タグ検出手段１０１は、光情報記録媒体の判別タグの情報を検出するものであり、例えばＲＦＩＤタグリーダ、バーコードリーダ、磁気センサ、ＬＥＤセンサなどからなる。
【０１００】
表示記録層記録手段１０２は、光情報記録媒体の表示記録層に表示するための記録を行うものであり、インクジェット印刷手段またはエネルギー印加手段などからなる。また、エネルギー印加手段で印加されるエネルギーとしては光、熱、電界、磁気などが挙げられ、それぞれのエネルギーの種類に応じて適切なエネルギー印加手段を選べばよい。例えば、熱エネルギーを印加する手段としては、サーマルヘッドが好適である。
【０１０１】
光ディスク記録再生手段１０３は、光情報記録媒体の光ディスクの記録再生を行うものであり、光ピックアップからなる。
【０１０２】
図６に、表示記録層記録手段をサーマルヘッドとした場合の上記光情報記録再生装置の構成例を示す。ここでは、図１に示した光情報記録媒体を装着した場合を示している。
判別タグ検出手段１０１は、光情報記録媒体１０の表示記録層１２ａ上に表示記録層１２ａに非接触の状態で所定位置に配置されており、その検出方式に応じて判別タグ１３の情報を検出する。
【０１０３】
また、サーマルヘッド１０２ａは、光情報記録媒体１０の表示記録層１２ａ上に配置されており、その先端の発熱部分が表示記録層１２ａに接触して表示記録層１２ａへの記録が行われる。
【０１０４】
また、光ディスク記録再生手段である光ピックアップ１０３ａは、光情報記録媒体１０の光ディスク１１の記録再生面側に非接触の状態で光ディスク１１の半径方向に移動可能に配置されている。光情報記録媒体１０への記録再生時には、光ピックアップ１０３ａから光ディスク１１へレーザ光が照射され、光ディスク１１の記録層への記録、あるいは記録層からの読取りが行われる。
【０１０５】
光情報記録媒体１０は、その中心部分のクランピングエリア１１ａがクランプされてスピンドルモータ１１０とつながっており、外周端部分がゴムローラ１１２を介して回転モータ１１１とつながっている。また、光情報記録媒体１０は、その外周部が支持体１１３で支持されながら回転モータ１１１の回転により回転するようになっている。
【０１０６】
図７に基づき、図５，５の光情報記録再生装置を用いた場合の光情報記録媒体の表示記録方法の手順を説明する。
（Ｓ１１）表示記録層への記録をスタートした場合、まず装着された光情報記録媒体について判別タグ検出手段１０１が判別タグの情報を検出しようとする。ここで、光情報記録媒体に判別タグがない場合、あるいは判別タグがあっても判別タグ検出手段１０１の検出方式が合わない場合、判別タグの情報は検出されず、その旨あるいは表示記録層への記録が行えない等のメッセージを表示して、記録動作を終了する。
判別タグから表示記録層に関する固有情報（表示記録層の有無情報、その種類情報、表示記録層への記録可否情報の少なくともいずれか１つの情報）が検出された場合、その情報は制御部１０４内の判別タグ情報判定部１０４ａに送られる。
【０１０７】
（Ｓ１２）つぎに、判別タグ情報判定部１０４ａにて、得られた情報に基づき対象の光情報記録媒体がクリーニングディスクであるかどうかの判定が行われる。
【０１０８】
（Ｓ１３）ここで、対象の光情報記録媒体がクリーニングディスクであると判定された場合、表示記録層の代わりに設けられたクリーニング層にサーマルヘッド１０２ａを接触させることにより、サーマルヘッド１０２ａ表面に付着した汚れを除去するクリーニングを行う。
【０１０９】
表示記録層を有する光情報記録媒体の表面は、当該光情報記録媒体を素手で取り扱うなどによって手垢の付着、ゴミ、埃が付着している。そのため、このような光情報記録媒体を用いた場合、その上からサーマルヘッドで加熱することによってサーマルヘッド上に各種の汚れが付着し印字画像の均一性および画像消去性を阻害する原因となる。そこで、本ステップではクリーニングディスクを用いることにより，サーマルヘッドの付着物を除去し画像均一性および画像消去性を向上させるものである。
【０１１０】
なお、ここで用いられるクリーニングディスクは、ＣＤ−ＲＯＭ、ＤＶＤ−ＲＯＭなどの光情報記録媒体の片面もしくは両面にクリーニング層を設けられており、さらにそのクリーニング層上には本発明で示した判別タグ１３が設けられている。
【０１１１】
クリーニング層としてはクリーニング機能を果たすものならば何でも良いが、表面に凹凸があるものが好ましい。
また、クリーニング層は，ポリエステル繊維等による不織布、樹脂中に無機もしくは有機微粉末が分散混合された層などが挙げられ、その中でも樹脂中に無機系微粉末が分散混合された層がサーマルヘッドの付着物を除去しやすいため好ましい。分散混合される微粉末としては、酸化鉄、酸化アルミナ、酸化クロム、シリカ、炭酸カルシウムなどが挙げられるがこれらに限定されるものではない。
【０１１２】
樹脂としては、従来公知の熱可塑性樹脂、熱硬化性樹脂、反応型樹脂、電子線硬化型樹脂、紫外線硬化型樹脂、可視光線硬化型樹脂やこれらの混合物が使用される。この中でも耐久性が高いことから硬化性樹脂が好ましい。
【０１１３】
クリーンニング層の表面粗さ（Ｒａ）は０．０１〜１０μｍが好ましく、さらに０．０５〜５μｍが好ましい。また、クリーニング層の厚みは１〜１００μｍが好ましく、１〜３０μｍがさらに好ましい。また、クリーニングディスク全体の厚みは中心厚み１．２ｍｍで、＋０．３ｍｍ、−０．０６ｍｍの公差内であることが好ましい。
【０１１４】
基材上にクリーニング層を設けるには、塗布、印刷などによって基材に直接形成する方法、別の支持体上にクリーニング層を形成し、その支持体と基材を接着剤や粘着剤を用いて貼り合わせる方法などによればよい。
【０１１５】
対象の光情報記録媒体がクリーニングディスクでないと判定された場合、つぎのステップに進む。
【０１１６】
（Ｓ１４）つぎに、判別タグ情報判定部１０４ａにて、得られた情報（表示記録層の有無情報）に基づき対象の光情報記録媒体に表示記録層があるかどうかの判定が行われる。ここで、表示記録層がないと判定された場合、その旨をメッセージとして表示して、記録動作を終了する。
また、表示記録層があると判定された場合、つぎのステップに進む。なお、判別タグが反射マーカー層である場合には、次のステップは飛ばして表示記録層への記録を行うとよい。
【０１１７】
（Ｓ１５）つぎに、判別タグ情報判定部１０４ａにて、得られた情報（表示記録層の種類情報、記録可否情報）に基づき、表示記録層への記録可否を判定する。ここで、表示記録層の種類（バージョンを含む）と表示記録層記録手段であるサーマルヘッド１０２ａとで記録方式が一致しない場合、あるいは記録可否情報が記録不可の場合には、表示記録層への記録不可と判定され、その旨をメッセージとして表示して、記録動作を終了する。
【０１１８】
また、表示記録層の種類（バージョンを含む）とサーマルヘッド１０２ａとで記録方式が一致し、記録可否情報が記録可の場合に、表示記録層への記録可と判定され、つぎのステップに進む。
【０１１９】
（Ｓ１６）サーマルヘッド１０２ａにより、光情報記憶層に記憶された情報の少なくとも一部を視覚的に認識し得るように表示記録層への記録が行われる。このときに記録される情報は、利用者が予めあるいはその時に作成した情報でもよいし、光情報記録再生装置により読み出された光情報記憶層の情報から自動的に作成される情報でもよい。
【０１２０】
つぎに、本発明の光情報記録媒体の表示記録方法の第２の実施の形態として、メディアＩＤ領域を用いた表示記録方法について説明する。
図８は、光情報記録媒体の表示記録方法を実施するための光情報記録再生装置の構成例を示すブロック図である。
光情報記録再生装置２００は、表示記録層に表示するための記録を行う表示記録層記録手段２０２と、光ディスク記録再生手段２０３と、表示記録層記録手段２０２、光ディスク記録再生手段２０３をそれぞれ制御し、光ディスク記録再生手段２０３からの検出情報（メディアＩＤ情報）を受けて種々の判定を行うメディアＩＤ情報定部２０４ａを有する制御部２０４とから構成される。なお、光情報記録再生装置２００は、第１の実施の形態で示した光情報記録再生装置１００の構成において、判別タグ検出手段１０１及び判別タグ情報判定手段１０４ａがなく、メディアＩＤ情報判定部２０４ａが加わったものであり、それ以外の各構成手段（表示記録層記録手段２０２、光ディスク記録再生手段２０３）は第１の実施の形態と同様である。
【０１２１】
図９に基づき、図７の光情報記録再生装置を用いた場合の光情報記録媒体の表示記録方法の手順を説明する。
（Ｓ２１）表示記録層への記録をスタートした場合、まず装着された光情報記録媒体について光ディスク記録再生手段２０３（光ピックアップ）が光ディスクのメディアＩＤ領域の情報を検出する。ここで、メディアＩＤ領域に表示記録層に関する固有情報がない場合、その旨あるいは表示記録層への記録が行えない等のメッセージを表示して、記録動作を終了する。
メディアＩＤ領域から表示記録層に関する固有情報（表示記録層の有無情報、その種類情報、表示記録層への記録可否情報の少なくともいずれか１つの情報）が検出された場合、その情報は制御部２０４内のメディアＩＤ情報判定部２０４ａに送られる。
【０１２２】
（Ｓ２２）つぎに、メディアＩＤ情報判定部２０４ａにて、得られた情報に基づき対象の光情報記録媒体がクリーニングディスクであるかどうかの判定が行われる。
【０１２３】
（Ｓ２３）ここで、対象の光情報記録媒体がクリーニングディスクであると判定された場合、表示記録層の代わりに設けられたクリーニング層に表示記録層記録手段２０２（サーマルヘッド）を接触させることにより、サーマルヘッド表面に付着した汚れを除去するクリーニングを行う。
【０１２４】
対象の光情報記録媒体がクリーニングディスクでないと判定された場合、つぎのステップに進む。
【０１２５】
（Ｓ２４）つぎに、メディアＩＤ情報判定部２０４ａにて、得られた情報（表示記録層の有無情報）に基づき対象の光情報記録媒体に表示記録層があるかどうかの判定が行われる。ここで、表示記録層がないと判定された場合、その旨をメッセージとして表示して、記録動作を終了する。
また、表示記録層があると判定された場合、つぎのステップに進む。
【０１２６】
（Ｓ２５）つぎに、メディアＩＤ情報判定部２０４ａにて、得られた情報（表示記録層の種類情報、記録可否情報）に基づき、表示記録層への記録可否を判定する。ここで、表示記録層の種類（バージョンを含む）と表示記録層記録手段２０２であるサーマルヘッドとで記録方式が一致しない場合、あるいは記録可否情報が記録不可の場合には、表示記録層への記録不可と判定され、その旨をメッセージとして表示して、記録動作を終了する。
【０１２７】
また、表示記録層の種類（バージョンを含む）とサーマルヘッドとで記録方式が一致し、記録可否情報が記録可の場合に、表示記録層への記録可と判定され、つぎのステップに進む。
【０１２８】
（Ｓ２６）サーマルヘッドにより、光情報記憶層に記憶された情報の少なくとも一部を視覚的に認識し得るように表示記録層への記録が行われる。
【０１２９】
なお、判別タグを用いた表示記録方法（第１の実施の形態）とメディアＩＤ領域を用いた表示記録方法（第２の実施の形態）とを組み合わせて、光情報記録媒体の表示記録層への記録を行ってもよい。また、ここではサーマルヘッドによる表示記録層を例として示したが、それ以外の表示記録方式、例えばインクジェット印刷による表示記録でもよい。
【実施例】
【０１３０】
以下本発明について本発明を説明するが、本実施例は例示であり、本発明がこれに限定されるものではない。なお、実施例中の「部」は重量部を表す。
【０１３１】
（実施例１）
（１）光ディスクの作製
直径１２０ｍｍ、厚さ０．６ｍｍのポリカーボネート円板の表面上に、深さ約１７００Å（１７０ｎｍ）、幅約０．２１μｍ、トラックピッチ０．７４μｍの案内溝凸凹パターンを有する基板を用意し、基板上に、スクアリリウム色素化合物を２．２．３．３．テトラフロロプロパノールに溶解したものを塗布液としてスピンコートすることにより有機色素からなる膜厚８００Å（８０ｎｍ）の情報記録層を形成した。ついで、その情報記録層上にＡｒガスをスパッタガスとして、スパッタ法によりＡｇからなる膜厚１４００Å（１４０ｎｍ）の反射層を形成した。更にその上に紫外線硬化樹脂からなる保護層を約４μｍの厚さに設けて、紫外線硬化型接着剤（日本化薬製  ＫＡＲＡＹＡＤ  ＤＶＤ００３）でカバー板との貼り合わせを行ない、ＤＶＤ＋Ｒ光ディスクを作成した。
【０１３２】
（２）表示記録層ラベルの作製
次に厚みが５０μｍのポリエチレンテレフタレート（ＰＥＴ）フィルムにＡｌを真空蒸着した膜厚約４００Å（４０ｎｍ）の光反射層を設けた。その上に、以下の組成よりなる溶液を塗布、加熱乾燥し、約０．５μｍ厚の接着層を設けた。
塩化ビニル−酢酸ビニル−リン酸エステル共重合体
（電気化学工業社製、デンカビニール＃１０００Ｐ）            １０部
メチルエチルケトン                                          ４５部
トルエン                                                    ４５部
【０１３３】
次に、塩化ビニル系共重合体（日本ゼオン社製、Ｍ１１０）２６部をメチルエチルケトン２１０部に溶解した樹脂溶解液中に、
ベヘン酸ベヘニル（ＳＩＧＭＡ試薬９９％）                      ５部
エイコサン二酸（岡村製油（株）製、ＳＬ−２０−９９）          ５部
を加え、ガラス瓶中に直径２ｍｍのセラミックビーズを入れて、ペイントシェーカー（浅田鉄工（株）製）を用い４８時間分散し、均一な分散液を作成した。その分散液にイソシアネート化合物（日本ポリウレタン社製、コロネート２２９８−９０Ｔ）４部を加え感熱層液を作成し、前記ＰＥＴフィルムの接着層上に塗布し加熱乾燥した後、さらに６５℃環境下に２４時間保存し樹脂を架橋させ、約１０μｍ厚の表示記録層を設けた。
【０１３４】
上記表示記録層上に以下の組成よりなる溶液を塗布し、加熱乾燥後、８０Ｗ／ｃｍの高圧水銀灯で紫外線を照射して硬化させ、膜厚約３μｍのオーバーコート層を設け、可逆性記録媒体を作成した。
ウレタンアクリレート系紫外線硬化性樹脂の７５％酢酸ブチル溶液
（大日本インキ化学工業社製、ユニディックＣ７−１７５）      １０部
イソプロピルアルコール                                      １０部
【０１３５】
続けて、この熱可逆記録媒体の裏面に約２０μｍのアクリル系の粘着剤を塗布し可逆性の表示記録層ラベルを作成した。
この表示記録層ラベルと光ディスクとを治具を用いて貼り合せることで、可逆性の表示記録層付きの光情報記憶媒体を作成した。
【０１３６】
ついで、可逆性表示記録層の表面にステルスバーコードを印刷し、本発明の光情報記録媒体とした。ステルスバーコードとは、ステルスインキと呼ばれる可視では見えないインキで印刷したバーコードであり、表示記録層への印字および見栄えを損なわないため使用した。バーコードには表示記録層に関する固有情報（表示記録層の有無、種類（可逆性、非可逆性、クリーニングディスク）、バージョン情報）が埋め込まれている。
【０１３７】
作製した光情報記録媒体を、表示記録層を検出するためのバーコードリーダ及び表示記録層に記録を行うためのサーマルヘッドが設けてある光情報記録再生装置（図５，５の光情報記録再生装置）にマウントしたところ、図７に示したフローチャートに従って、バーコードリーダによりステルスバーコードに埋め込まれた情報が読み取られ、表示記録層の有無、書き込み可能な表示記録層であるか（既知の表示記録層かどうか）を判断し、表示記録層の種類に対して適切な処理が行われた。
【０１３８】
なお、比較のために上記光情報記録媒体において表示記録層がないものを、光情報記録装置にマウントしたが、表示記録層がないため表示記録層への書き込みが行えない等のメッセージを表示して表示記録層への記録動作を行わなかった。
【０１３９】
なお、本実施例に使用された光情報記録再生装置においては、バージョン情報から光情報記録装置にて記録が可能な表示記録層かどうか（既知の表示記録層かどうか）を検出することが可能であり、記録が可能であれば記録を行い、サポート外の表示記録層であれば、サポート外の表示記録層であることを表示し表示記録層へ記録を行う場合には、光情報記録装置のファームウェアをバージョンアップすることなどを表示し記録動作を行わなかった。また、クリーニングディスクと判定された場合には、光情報記録装置に設けられたサーマルヘッドのクリーニング動作を実施することが確認された。
【０１４０】
（実施例２）
実施例１の光情報記録媒体において、光ディスクを以下に示すＤＶＤ＋ＲＷの光ディスクとし、それ以外は実施例１と同じ条件で光情報記録媒体を作製した。
【０１４１】
（ＤＶＤ＋ＲＷの光ディスクの作製）
直径１２０ｍｍ、厚さ０．６ｍｍのポリカーボネート円板の表面上に、深さ約２７０Å（２７ｎｍ）、トラックピッチ０．７４μｍの案内溝凸凹パターンを有する基板を用意し、基板上にＺｎＳ・ＳｉＯ2からなる膜厚７００Å（７０ｎｍ）の第１保護層、組成比がＡｇ:Ｉｎ:Ｓｂ:Ｔｅ:Ｇｅ＝０．２:３．５:７１．４:２１．４:３．５である膜厚１１０Å（１１ｎｍ）の相変化型の第３の情報記録層、ＺｎＳ・ＳｉＯ2からなる膜厚１１０Å（１１ｎｍ）の第２保護層、Ａｇからなる膜厚１４００Å（１４０ｎｍ）の反射層の順にＡｒをスパッタガスとしたスッパタ法により成膜を行い、更にその上に紫外線硬化樹脂からなる保護層を約４μｍの厚さに設けて、紫外線硬化型接着剤（日本化薬製  ＫＡＲＡＹＡＤ  ＤＶＤ００３）でカバー板との貼り合わせを行ない、ＤＶＤ＋ＲＷ光ディスクを作成した。
【０１４２】
作製した光情報記録媒体を、実施例１と同じ光情報記録再生装置にマウントしたところ、実施例１と同様に、図７に示したフローチャートに従って、バーコードリーダによりステルスバーコードに埋め込まれた情報が読み取られ、表示記録層の有無、書き込み可能な表示記録層であるか（既知の表示記録層かどうか）を判断し、表示記録層の種類に対して適切な処理が行われた。
【０１４３】
（実施例３）
実施例１において、ＤＶＤ＋Ｒ光ディスクを作成するためのスタンパ（ＡＤＩＰ）のＰｒｏｄｕｃｔ  ｒｅｖｉｓｉｏｎ  Ｎｕｍｂｅｒを、可逆性の表示記録層のあるのとして“０１”に変更し、ステルスバーコードなしとして、それ以外は実施例１と同じ条件で光情報記録媒体を作製した。
【０１４４】
作製した光情報記録媒体を、表示記録層に記録を行うためのサーマルヘッドが設けてある光情報記録再生装置にマウントすると、光ピックアップで読み取られるＡＤＩＰのＰｒｏｄｕｃｔ  ｒｅｖｉｓｉｏｎ  Ｎｕｍｂｅｒにより表示記録層の有無と種類の検出及び判別が可能であり、適切な処理を行うことが可能であった。
【０１４５】
（実施例４）
実施例３の光情報記録媒体において、光ディスクを実施例２に示したＤＶＤ＋ＲＷの光ディスクとし、それ以外は実施例３と同じ条件で光情報記録媒体を作製した。
【０１４６】
作製した光情報記録媒体を、実施例３と同じ光情報記録再生装置にマウントすると、光ピックアップで読み取られるＡＤＩＰのＰｒｏｄｕｃｔ  ｒｅｖｉｓｉｏｎ  Ｎｕｍｂｅｒにより表示記録層の有無と種類の検出及び判別が可能であり、適切な処理を行うことが可能であった。
【０１４７】
（実施例５）
実施例３の光情報記録媒体において、光ディスクのスタンパ（ＡＤＩＰ）のＰｒｏｄｕｃｔ  ｒｅｖｉｓｉｏｎ  Ｎｕｍｂｅｒを、不可逆性の表示記録層のあるのを“０２”、クリーニングディスクを“０３”、無いものを“００”としてディスクを作成し、ステルスバーコードなしとして、それ以外は実施例１と同じ条件で作製した光情報記録媒体を用いて、それぞれ同じ光情報記録再生装置にマウントしたところ、同様に光ピックアップで読み取られるＡＤＩＰのＰｒｏｄｕｃｔ  ｒｅｖｉｓｉｏｎ  Ｎｕｍｂｅｒにより表示記録層の有無と種類の検出及び判別が可能であり、適切な処理を行うことが可能であった。
【０１４８】
（実施例６）
実施例１において、ＤＶＤ＋Ｒ光ディスクを作成するためのスタンパ（ＡＤＩＰ）のＰｒｏｄｕｃｔ  ｒｅｖｉｓｉｏｎ  Ｎｕｍｂｅｒを、可逆性の表示記録層のあるのとして“０１”に変更し、それ以外は実施例１と同じ条件で光情報記録媒体を作製した。
【０１４９】
作製した光情報記録媒体を、実施例１と同じ光情報記録再生装置にマウントしたところ、バーコードリーダによりステルスバーコードに埋め込まれた情報が読み取られ、また光ピックアップによりＰｒｏｄｕｃｔ  ｒｅｖｉｓｉｏｎ  Ｎｕｍｂｅｒが読み取られ、表示記録層の有無、書き込み可能な表示記録層であるか（既知の表示記録層かどうか）を判断し、表示記録層の種類に対して適切な処理が行われた。
【図面の簡単な説明】
【０１５０】
【図１】本発明に係る光情報記録媒体の実施の形態（１）における構成を示す断面図である。
【図２】熱可逆性の表示記録層が熱により色調が変化する様子を説明するための図である。
【図３】本発明に係る光情報記録媒体の判別タグの例を示す上面図である。
【図４】本発明に係る光情報記録媒体の実施の形態（２）における構成を示す断面図である。
【図５】光情報記録媒体の表示記録方法の第１の実施の形態における光情報記録再生装置の構成例を示すブロック図である。
【図６】表示記録層記録手段をサーマルヘッドとした場合の光情報記録再生装置の構成図である。
【図７】光情報記録媒体の表示記録方法の第１の実施の形態における手順を示すフローチャートである。
【図８】光情報記録媒体の表示記録方法の第２の実施の形態における光情報記録再生装置の構成例を示すブロック図である。
【図９】光情報記録媒体の表示記録方法の第２の実施の形態における手順を示すフローチャートである。
【符号の説明】
【０１５１】
１０，２０    光情報記録媒体
１１    光ディスク
１２    表示記録層ラベル
１２ａ    表示記録層
１２ｂ    ベースフィルム
１２ｃ    接着層
１３    判別タグ
１３ａ    ＲＦＩＤタグ
１３ｂ    バーコード層
１３ｃ    磁気印刷層
１３ｄ    反射マーカー層
１００，２００    光情報記録再生装置
１０１    判別タグ検出手段
１０２，２０２    表示記録層記録手段
１０３，２０３    光ディスク記録再生手段
１０４，２０４    制御部
１０４ａ    判別タグ情報判定手段
２０４ａ    メディアＩＤ情報判定部
１１０    スピンドルモータ
１１１    回転モータ
１１２    ゴムローラ
１１３    支持体
【図１】
2006004538.tif 000003
【図２】
2006004538.tif 000004
【図３】
2006004538.tif 000005
【図４】
2006004538.tif 000006
【図５】
2006004538.tif 000007
【図６】
2006004538.tif 000008
【図７】
2006004538.tif 000009
【図８】
2006004538.tif 000010
【図９】
2006004538.tif 000011